【手続補正書】
【提出日】平成16年12月16日(2004.12.16)
【手続補正１】
【補正対象書類名】明細書
【補正対象項目名】特許請求の範囲
【補正方法】変更
【補正の内容】
【特許請求の範囲】
【請求項１】
第一の通信波長が存在する第一の通信信号を有する光学測定セクションに接続され、前記光学測定セクションからの光信号を測定するための光学検出器ユニットと、
前記第一の通信波長とは異なる第二の通信波長を有する第二の通信信号を生成し、前記第二の通信信号を前記光学測定セクションに印加するための光学信号源と、
前記光学測定セクションと前記光学検出器ユニットとの間の光路内に配置された切替可能ファイバ装置であって、前記第一の通信波長成分を選択的に減衰させ前記第二の通信波長成分のみが前記光学検出器ユニットへ到達することを可能にするか、前記第二の通信波長成分を選択的に減衰させ前記第一の通信波長成分のみが前記光学検出器ユニットへ到達することを可能にする切替可能ファイバ装置と、
前記第一の通信波長成分または前記第二の通信波長成分のいずれか一方が無減衰のまま測定信号として前記光学測定セクションに印加されるように、前記第一の通信波長成分または前記第二の通信波長成分のいずれか一方を減衰するために前記切替可能ファイバ装置を操作する制御手段と、
を備えることを特徴とする反射光信号測定器。
【請求項２】
前記光学測定セクションを備えることを特徴とする請求項１に記載の測定器。
【請求項３】
前記測定信号が、前記測定セクションに存在する如何なる通信信号の波長より長い波長を提示することを特徴とする請求項１または請求項２に記載の測定器。
【請求項４】
異なる波長の信号が、１．６５マイクロメートル、１．５５マイクロメートルおよび１．３１マイクロメートルの波長を有し、
前記測定信号の波長が、現在通信目的に使用されていない、前記異なる波長の信号の１つの波長になるように選ばれる、
ことを特徴とする請求項１乃至請求項３のいずれかに記載の測定器。
【請求項５】
前記切替可能ファイバ装置が、１つ１つが前記異なる波長のそれぞれを減衰させるのに適した複数の光学フィルタを備え、
さらに、前記複数の光学フィルタの１つ１つを前記光路の中へまたは前記光路の外へ選択的に移動させる手段を含む、
ことを特徴とする請求項１乃至請求項４のいずれかに記載の測定器。
【請求項６】
前記選択的移動手段が、アクチュエータであって、
前記複数の光学フィルタが、前記アクチュエータの軸上に配置され、
前記アクチュエータが、前記光学フィルタの選択された１つを前記切替可能ファイバ装置の前記光路の中へ移動させることが制御可能である、
ことを特徴とする請求項５に記載の測定器。
【請求項７】
前記アクチュエータが、さらに、前記切替可能ファイバ装置の前記光路内で前記フィルタを傾ける、
ことを特徴とする請求項６に記載の測定器。
【請求項８】
前記アクチュエータが、少なくとも１つの前記フィルタを前記切替可能ファイバ装置の前記光路の中へ順番に移動させる、
ことを特徴とする請求項５乃至請求項７のいずれかに記載の測定器。
【請求項９】
前記切替可能ファイバ装置が、
入力において第一のレンズと、
出力において第二のレンズと、
前記光学測定セクションに存在し通信目的で使われる前記信号の１つを減衰するために、前記第一のレンズと前記第二のレンズとの間の前記光路の中に移動可能な１以上の光学フィルタと、
を含むことを特徴とする請求項１乃至請求項８のいずれかに記載の測定器。
【請求項１０】
前記光学信号源が、第一のレーザ光源と第二のレーザ光源と第三のレーザ光源と第一の波長依存結合器と第二の波長依存結合器と波長独立結合器とモニタ・フォトダイオードとを含み、
前記第一のレーザ光源および前記第二のレーザ光源が、第一の光ファイバおよび第二の光ファイバを介して前記第一の波長依存結合器の入力に接続され、
前記第一の波長依存結合器の出力が、前記第二の波長依存結合器の入力に接続され、
前記第三のレーザ光源が、光ファイバを介して、前記第二の波長依存結合器の入力に接続され、
前記第二の波長依存結合器の出力が、前記波長独立結合器の入力に光学的に接続され、
前記切替可能ファイバ装置の入力が、前記波長独立結合器の出力に光学的に接続される、
ことを特徴とする請求項１乃至請求項９のいずれかに記載の測定器。
【請求項１１】
前記切替可能ファイバ装置が、前記検出器ユニットと前記波長独立結合器の出力との間の光路内に配置されている、
ことを特徴とする請求項１乃至請求項１０のいずれかに記載の測定器。
【請求項１２】
少なくとも１つの光通信信号が印加される光学測定セクションに接続され、前記光学測定セクションからの光信号を測定するための光学検出器ユニットと、
前記光通信信号とは異なる少なくとも１つの光試験信号を生成し、前記少なくとも１つの光試験信号を前記光学測定セクションに印加するための光学信号源と、
前記光学測定セクションと前記光学検出器ユニットとの間の光路内に配置された切替可能ファイバ装置と、
前記光学測定セクションから反射される少なくとも１つの前記試験信号が前記光学検出器ユニットに影響を及ぼすことができるように、前記少なくとも１つの光通信信号を減衰するために前記切替可能ファイバ装置を操作するための制御装置と、
前記光学測定セクションに接続され、前記少なくとも１つの光試験信号を検出し、前記光信号源の制御を可能にするモニタ・ダイオードと、
を備えることを特徴とする反射光信号測定器。
【請求項１３】
前記少なくとも１つの光試験信号が、前記測定セクションに存在する如何なる通信信号の波長より長い波長を有することを特徴とする請求項１２に記載の測定器。
【請求項１４】
前記少なくとも１つの光試験信号が、１．６５マイクロメートル、１．５５マイクロメートルおよび１．３１マイクロメートルのうちから選択された１つの波長を有し、
前記少なくとも１つの光試験信号が、前記少なくとも１つの光通信信号とは異なる波長を持つように選ばれる、
ことを特徴とする請求項１２または請求項１３に記載の測定器。
【請求項１５】
前記切替可能ファイバ装置が、１つ１つが前記通信信号のそれぞれを減衰させるのに適した複数の光学フィルタを備え、
さらに、前記複数の光学フィルタの１つ１つを前記光路の中へまたは前記光路の外へ選択的に移動させる手段を含む、
ことを特徴とする請求項１２乃至請求項１４のいずれかに記載の測定器。
【請求項１６】
前記選択的移動手段が、アクチュエータであって、
前記複数の光学フィルタが、前記アクチュエータの軸上に配置され、
前記アクチュエータが、前記光学フィルタの選択された１つを前記切替可能ファイバ装置の前記光路の中へ移動させることが制御可能である、
ことを特徴とする請求項１５に記載の測定器。
【請求項１７】
前記アクチュエータが、さらに、前記切替可能ファイバ装置の前記光路内で前記フィルタを傾ける、
ことを特徴とする請求項１６に記載の測定器。
【請求項１８】
前記アクチュエータが、少なくとも１つの前記フィルタを前記切替可能ファイバ装置の前記光路の中へ順番に移動させる、
ことを特徴とする請求項１５乃至請求項１７のいずれかに記載の測定器。
【請求項１９】
前記切替可能ファイバ装置が、
入力において第一のレンズと、
出力において第二のレンズと、
前記光学測定セクションに存在し通信目的で使われる前記信号の１つを減衰するために、前記第一のレンズと前記第二のレンズとの間の前記光路の中に移動可能な１以上の光学フィルタと、
を含むことを特徴とする請求項１２乃至請求項１８のいずれかに記載の測定器。
【請求項２０】
前記光学信号源が、第一のレーザ光源と第二のレーザ光源と第三のレーザ光源と第一の波長依存結合器と第二の波長依存結合器と波長独立結合器とモニタ・フォトダイオードとを含み、
前記第一のレーザ光源および前記第二のレーザ光源が、第一の光ファイバおよび第二の光ファイバを介して前記第一の波長依存結合器の入力に接続され、
前記第一の波長依存結合器の出力が、前記第二の波長依存結合器の入力に接続され、
前記第三のレーザ光源が、光ファイバを介して、前記第二の波長依存結合器の入力に接続され、
前記第二の波長依存結合器の出力が、前記波長独立結合器の入力に光学的に接続され、
前記切替可能ファイバ装置の入力が、前記波長独立結合器の出力に光学的に接続される、
ことを特徴とする請求項１２乃至請求項１９のいずれかに記載の測定器。
【請求項２１】
前記切替可能ファイバ装置が、前記検出器ユニットと前記波長独立結合器の出力との間の光路内に配置されることを特徴とする請求項２０に記載の測定器。
【手続補正２】
【補正対象書類名】明細書
【補正対象項目名】００２４
【補正方法】変更
【補正の内容】
【００２４】
切替え可能フィルタ装置（ＳＷＦ）は、検出装置（ＡＰＤ９と波長独立結合器（ＷＩＣ）の入力の間の光路内に配置するのが望ましい。切替え可能フィルタ装置（ＳＷＦ）は、波長独立結合器（波長非依存結合器；ＷＩＣ）の出力と、測定器を測定セクションに接続するための測定器のポート（ＯＴＤＲポート）の間の光路内に配置することも可能である。同じく、切替え可能フィルタ装置（ＳＷＦ）は、本発明の測定器の出力、または、例えば、既存の測定器に適合するように、既存の測定器の出力と試験を受ける測定セクションの間に配置することも可能である。